(57)【要約】【課題】  時間とコストをかけることなく棚体の間隔を自在に設定することができる陳列什器を提供する。【解決手段】  陳列什器９は、上下に間隔をあけて配置される棚体１０、１２及び１４と、隣接する棚体１０、１２及び１４の各々を連結する支柱１１ａ〜１１ｄ及び支柱１３ａ〜１３ｄと、最下段の棚体１４のコーナー部の各々の下面に取り付けられたキャスター１５ａ〜１５ｃ及び１５ｄ（図示せず）とから構成されている。上述の支柱の各々は、押出し方向において所望の長さＬ１及びＬ２に切断された押出成形品である。このように構成することによって、時間とコストをかけることなく、商品に合わせて隣接する棚体１０、１２及び１４の間隔を自在に設定でき、陳列什器９の使い勝手が向上する。【選択図】図２
0003127862.tif 000002
【実用新案登録請求の範囲】
【請求項１】
陳列什器であって、
上下に間隔をあけて配置される少なくとも２つの棚体と、
隣接する前記棚体の各々を連結する支柱とを備え、
前記支柱は、押出し方向において所望の長さに切断された押出成形品よりなる、陳列什器。
【請求項２】
前記棚体の各々は、平面視が同一の矩形形状に形成され、
前記支柱の各々は、その断面がＬ字状に形成され、その両端部の各々が前記棚体の各々の平面視におけるコーナー部の各々に沿って配置される、請求項１記載の陳列什器。
【請求項３】
前記棚体の各々は、前記コーナー部の各々の上面及び下面に前記支柱の各々を連結するための差込口が形成される、請求項２記載の陳列什器。
【考案の詳細な説明】
【技術分野】
【０００１】
この考案は陳列什器に関し、特に棚の上面に商品を陳列する組立て式の陳列什器に関するものである。
【背景技術】
【０００２】
図８は従来の陳列什器の概略斜視図であり、図９は図８で示した陳列什器の概略構成を示した分解斜視図である。
【０００３】
これらの図を参照して、平板部６６とその周縁の上方及び下方に立ち上がる側板部６７とからなる平面視矩形形状の棚体６０、６２及び６４の各々が上下に等間隔に配置されている。棚体６０、６２及び６４のコーナー部の各々の上面及び下面に形成された差込口６８に長さＬの支柱６１ａ〜６１ｄ及び支柱６３ａ〜６３ｄを差し込み、隣接する棚体６０、６２及び６４の各々を連結している。最下段の棚体６４のコーナー部の各々の下面には、陳列什器が床面等を可動するようにキャスター６５ａ〜６５ｃ及び６５ｄ（図示せず）が取り付けられている。尚、棚体６０、６２及び６４並びに支柱６１及び６３はポリプロピレン等の樹脂を用いた射出成形品である。
【０００４】
以上より、従来の組立て式の陳列什器５９は構成されている。
【考案の開示】
【考案が解決しようとする課題】
【０００５】
上記のような従来の陳列什器では、上述のように、射出成形により形成される樹脂製の支柱を使用している。射出成形により形成される支柱は、その長さが金型により決定されるため、複数の金型を製作しない限り、図９に示すように各段の支柱の長さＬは一定となる。すなわち、支柱の長さにより決定される上下に隣接する棚体の間隔も一定となる。陳列する商品の大きさ等用途に応じてこの棚体の間隔を変えるためには、新たな支柱の長さに合わせた金型を製作する必要があり、時間とコストがかかる。したがって、商品に合わせて棚体の間隔が相違する陳列什器のバリエーションを設定することが困難になる。
【０００６】
この考案は、上記のような課題を解決するためになされたもので、時間とコストをかけることなく棚体の間隔を自在に設定することができる陳列什器を提供することを目的とする。
【課題を解決するための手段】
【０００７】
上記の目的を達成するために、請求項１記載の考案は、陳列什器であって、上下に間隔をあけて配置される少なくとも２つの棚体と、隣接する棚体の各々を連結する支柱とを備え、支柱は、押出し方向において所望の長さに切断された押出成形品よりなるものである。
【０００８】
このように構成すると、支柱を所望の長さに容易に設定することができる。
【０００９】
請求項２記載の考案は、請求項１記載の考案の構成において、棚体の各々は、平面視が同一の矩形形状に形成され、支柱の各々は、その断面がＬ字状に形成され、その両端部の各々が棚体の各々の平面視におけるコーナー部の各々に沿って配置されるものである。
【００１０】
このように構成すると、棚体の有効利用面積が大きくなり、かつ支柱が横方向から加わる力に対する合理的な強度を発揮する。
【００１１】
請求項３記載の考案は、請求項２記載の考案の構成において、棚体の各々は、コーナー部の各々の上面及び下面に支柱の各々を連結するための差込口が形成されるものである。
【００１２】
このように構成すると、棚体の各々はいずれの段にも使用することができる。
【考案の効果】
【００１３】
以上説明したように、請求項１記載の考案は、支柱を所望の長さに容易に設定することができるため、隣接する棚体の間隔を自在に設定することができ、使い勝手が向上する。
【００１４】
請求項２記載の考案は、請求項１記載の考案の効果に加えて、棚体の有効利用面積が大きくなり、かつ支柱が横方向から加わる力に対する合理的な強度を発揮するため、より多くの、かつより重量のある商品を陳列することができ、効率的な陳列什器となる。
【００１５】
請求項３記載の考案は、請求項２記載の考案の効果に加えて、棚体の各々はいずれの段にも使用することができるため、容易に所望の段数の陳列什器を組み立てることができる。
【考案を実施するための最良の形態】
【００１６】
図１はこの考案の第１の実施の形態による陳列什器の概略斜視図であって、従来例で示した図８に対応した図である。図２は図１で示した陳列什器の概略構成を示した分解斜視図であり、従来例で示した図９に対応した図である。図３は図１で示した陳列什器の平面図であり、図４は図１で示した陳列什器の中の１つの棚体の底面図であり、図５は図３で示したＶ−Ｖラインの断面図である。
【００１７】
これらの図を参照して、陳列什器９は、上下に間隔をあけて配置される棚体１０、１２及び１４と、隣接する棚体１０、１２及び１４の各々を連結する支柱１１ａ〜１１ｄ及び支柱１３ａ〜１３ｄと、最下段の棚体１４のコーナー部の各々の下面に取り付けられたキャスター１５ａ〜１５ｃ及び１５ｄ（図示せず）とから構成されている。
【００１８】
棚体１０は、ポリプロピレン等の樹脂を用いた射出成形品であり、平面視において矩形形状を有し、平板部１６と、その周縁の上方及び下方に立ちあがる側板部１７とから構成されている。棚体１０のコーナー部の各々の上面２７及び下面２８には、支柱を連結するための差込口１８ａ〜１８ｄ及び差込口１９ａ〜１９ｄが支柱の断面形状に合わせて形成されている。棚体１０のコーナー部の各々の下面２８には、差込口１９ａ〜１９ｄの各々の内側にキャスターを連結することができる差込口２０ａ〜２０ｄが中空円柱状に形成されている。他の棚体１２及び１４も棚体１０と同一構成を有する。
【００１９】
支柱１１ａは、ポリプロピレン等の樹脂を用いた押出成形品であり、Ｌ字状の断面を有し、長さＬ１に形成されている。他の支柱１１ｂ〜１１ｄも支柱１１ａと同一構成を有する。又、支柱１３ａは、ポリプロピレン等の樹脂を用いた押出成形品であり、支柱１１ａと同一断面を有し、長さＬ２に形成されている。他の支柱１３ｂ〜１３ｄも支柱１３ａと同一構成を有する。支柱１１ａ〜１１ｄ及び支柱１３ａ〜１３ｄの各々は、棚体１０、１２及び１４の各々の平面視におけるコーナー部の各々に沿って垂直方向に配置されている。
【００２０】
図６は図３で示したＡ部分の拡大図である。
【００２１】
図６を参照して、上述した支柱を連結するための差込口１８ａは、支柱１１ａの断面形状に合わせてＬ字状の開口が側壁１７に沿って棚体１０のコーナー部の上面に形成されている。その開口の内面側には、ほぼ半円形状の断面を有する８つの突起３３が、側壁１７のほぼ上面３４から棚体１０の上面２７まで棒状に形成されている。支柱の差込口１８ａの大きさは、これらの突起３３によって、支柱の差込口１８ａに差し込まれた部分が両側から押さえつけられた状態となるように設定されている。また、突起３３の上面３４側の端部は、支柱の差込みを容易にするために半球形状に形成されている。他の差込口１８ｂ〜１８ｄ及び差込口１９ａ〜１９ｄも差込口１８ａと同様に構成されている。
【００２２】
ここで、上述した支柱の製造方法について説明する。
【００２３】
図７は、図１で示した陳列什器に用いられている支柱の製造過程の一部の概略を示した模式図である。
【００２４】
図を参照して、二点鎖線で示されるように、断面Ｌ字状に長尺物の棒状体３５が押出成形により形成される。
【００２５】
次に、支柱１１ａは、棒状体３５を押出し方向において長さＬ１で切断することによって製造される。同様に、支柱１３ａも棒状体３５を押出し方向において長さＬ２で切断することによって製造される。これによって、同一断面形状の支柱１１ａ及び１３ａとして使用することができる。
【００２６】
ここで、上述のように構成された陳列什器９の組立てについて説明する。
【００２７】
図２を中心に参照して、まず、長さＬ１の支柱１１ａの一方端部を棚体１０の差込口１９ａに棚体１０の下面２８に当接するまで差し込み、その他方端部を棚体１２の差込口２１ａに棚体１２の上面２９に当接するまで差し込む。他の支柱１１ｂ〜１１ｄも支柱１１ａと同様に差し込み、棚体１０と棚体１２を連結する。次に、長さＬ２の支柱１３ａの一方端部を棚体１２の差込口２２ａに棚体１２の下面３０に当接するまで差し込み、その他方端部を棚体１４の差込口２４ａに棚体１４の上面３１に当接するまで差し込む。他の支柱１３ｂ〜１３ｄも支柱１３ａと同様に差し込み、棚体１２と棚体１４を連結する。尚、上述のように、突起３３によって、支柱１１ａの差込口１９ａに差し込まれた部分が両側から押さえつけられるため、支柱１１ａの差込み状態が安定する。次に、キャスター１５ａの軸を最下段の棚板１４の下面に形成された差込口２６ａに差し込み、取り付ける。他のキャスター１５ｂ、１５ｃ及び１５ｄ（図示せず）もキャスター１５ａと同様に取り付ける。このようにして、上下に隣接する棚体の間隔が相違する陳列什器９が完成する。
【００２８】
以上より、上記の実施の形態では、押出成形品よりなる支柱１１ａ〜１１ｄ及び支柱１３ａ〜１３ｄは、押出し方向において各々長さＬ１及びＬ２に切断することによって形成される。すなわち、押出成形により形成された棒状体３５を所望の長さで切断すると、所望の長さの支柱を容易に得ることができる。したがって、時間とコストをかけることなく、商品に合わせて隣接する棚体１０、１２及び１４の間隔の各々を自在に設定でき、陳列什器９の使い勝手が向上する。更に、断面Ｌ字状の支柱１１ａ〜１１ｄ及び支柱１３ａ〜１３ｄの各々の両端部の各々が棚体１１、１２及び１４の各々の平面視におけるコーナー部の各々に沿って配置されるため、棚体１２及び１４の有効利用面積が大きくなる。又、いずれの方向に対しても支柱１１ａ〜１１ｄ及び支柱１３ａ〜１３ｄの各々の断面係数が所定値以上に確保されるため、横方向から加わる力に対する合理的な強度を発揮し、効率的な陳列什器となる。更に、棚体１０、１２及び１４は同一形状であり、いずれの段にも使用することができるため、容易に所望の段数の陳列什器９を組み立てることができる。
【００２９】
尚、上記の実施の形態では、棚体は平面視矩形形状に形成されているが、他の形状であってもよい。
【００３０】
又、上記の実施の形態では、棚体は側板部を有しているが、支柱を連結するための差込口が形成されていれば、側板部はなくてもよい。
【００３１】
更に、上記の実施の形態では、棚体に支柱を連結するための差込口が形成されているが、棚体に突出部を形成し支柱を中空形状として、支柱にその突出部を差し込むようにしてもよい。
【００３２】
更に、上記の実施の形態では、棚体は３つで構成されているが、棚体は少なくとも２つ以上あればよい。
【００３３】
更に、上記の実施の形態では、棚体の各々には平面視におけるコーナー部の各々の上面及び下面に支柱の各々を連結するための差込口が形成されているが、最上段の棚体の上面及び最下段の棚体の下面には差込口が形成されなくてもよい。又は、棚体の側面に差込口が形成されてもよい。
【００３４】
更に、上記の実施の形態では、支柱の断面はＬ字状に形成されているが、押出成形により形成することができるものであれば、他の断面形状であってもよい。
【００３５】
更に、上記の実施の形態では、隣接する棚体の各々を連結している支柱は４つで構成されているが、棚体の各々を安定して連結することができれば、支柱は１つ以上あればよい。
【００３６】
更に、上記の実施の形態では、垂直方向に配置された支柱の各々が棚体の各々の平面視におけるコーナー部の各々に沿って配置されているが、棚体のいずれの部分に配置されてもよい。
【００３７】
更に、上記の実施の形態では、最下段の棚体の下面にキャスターが取り付けられているが、キャスターはなくてもよい。又は、キャスターに代えて、短い支柱等、最下段の棚体を床面から所定の高さに浮かすことができるものを取り付けてもよい。
【図面の簡単な説明】
【００３８】
【図１】この考案の第１の実施の形態による陳列什器の概略斜視図である。
【図２】図１で示した陳列什器の概略構成を示した分解斜視図である。
【図３】図１で示した陳列什器の平面図である。
【図４】図１で示した陳列什器の中の１つの棚体の底面図である。
【図５】図３で示したＶ−Ｖラインの断面図である。
【図６】図３で示したＡ部分の拡大図である。
【図７】図１で示した陳列什器に用いられている支柱の製造過程の一部の概略を示した模式図である。
【図８】従来の陳列什器の概略斜視図である。
【図９】図８で示した陳列什器の概略構成を示した分解斜視図である。
【符号の説明】
【００３９】
９…陳列什器
１０，１２，１４…棚体
１１，１３…支柱
１８，１９，２１，２２，２４，２５…差込口
尚、各図中同一符号は同一または相当部分を示す。
【図１】
0003127862.tif 000003
【図２】
0003127862.tif 000004
【図３】
0003127862.tif 000005
【図４】
0003127862.tif 000006
【図５】
0003127862.tif 000007
【図６】
0003127862.tif 000008
【図７】
0003127862.tif 000009
【図８】
0003127862.tif 000010
【図９】
0003127862.tif 000011